(57)【特許請求の範囲】
【請求項１】
被写体を撮像して画像データを出力する撮像手段と、
前記画像データを記録する記録媒体と、
前記記録媒体から読み出された前記画像データに基づき再生画像を表示する表示装置と、
被写体輝度に基づく露出値で露出制御する露出制御手段と、
前記露出値を補正する補正量を設定する露出補正量設定手段と、
前記表示装置の前記再生画像の表示明度を前記露出補正量設定手段の前記補正量に応じて調節する表示明度調節手段と、
を有することを特徴とする画像記録装置。
【請求項２】
被写体を撮像して画像データを出力する撮像手段と、
前記画像データを記録する記録媒体と、
前記記録媒体から読み出された前記画像データに基づき再生画像を表示する表示装置と、
被写体輝度に基づく露出値で露出制御する露出制御手段と、
前記表示装置の前記再生画像の表示明度を調節する表示明度調節手段と、
前記表示明度調節手段による表示明度の調節量に応じて、前記露出値を補正する補正量を設定する露出補正量設定手段と、
を有することを特徴とする画像記録装置。
【発明の詳細な説明】
【０００１】
【発明の属する技術分野】
本発明は、画像記録装置に関し、さらに詳しくは光電変換装置より出力される画像信号を処理して記録する画像記録装置に関する。
【０００２】
【従来の技術】
画像記録装置の一つとして電子スチルカメラ（以下、本明細書中では電子スチルカメラを「ＤＳＣ」と称する）がある。ＤＳＣは、撮影レンズにより形成された被写体像をＣＣＤなどの光電変換装置で光電変換して得られる画像信号を処理して記録するものである。そして、光電変換装置から出力される画像信号はディジタル画像データに変換されてバッファメモリに一時的に記録される。バッファメモリに記録された画像データは、所定の画像処理が施された後、ＪＰＥＧ等の画像圧縮アルゴリズムに基づいて圧縮処理され、フラッシュメモリや磁気記録装置等の不揮発性記録装置に記録される。不揮発性記録装置に記録された画像データに基づく画像は、必要に応じて表示装置上に再生表示される。
【０００３】
上述したＤＳＣで、光電変換装置としてたとえばＣＣＤなどが用いられるものである場合、被写体輝度に応じて露出値、すなわち撮影レンズの絞り値と撮像素子の蓄積時間とが決定され、撮像素子の受光面に導かれる被写体光の光量がほぼ一定に保たれる。この蓄積時間は、銀塩フィルムを用いるカメラのシャッタ速度に対応するものである。上述のように銀塩フィルムの感光面や撮像素子の受光面に導かれる被写体光の光量の積算値は、像面露光量と呼ばれ、これら銀塩フィルムや撮像素子の感度に応じた値に定められる。
【０００４】
ところで、被写体は必ずしも一様な輝度を有している訳ではなく、撮影に先立って行われる測光の結果で決定された輝度値（測光値）に基づいて露光を行ったときに、必ずしも望ましい撮影結果が得られる訳ではない。たとえば、主要被写体が逆光状況下にあると、主要被写体の背景にある高輝度成分の影響を受け、被写体輝度は高めであるとの測光値を得がちである。その結果、主要被写体の輝度を基準としたときの像面露光量は少な目となり、撮影結果はいわゆる露光アンダーとなりやすい。また、通常のカメラの測光方式はいわゆる反射光式、すなわち被写体で反射された光を測定する方式である。このため、たとえば被写体である人物が低めの反射率（暗い色）の服を着用していたりすると、測光値は服の反射率の影響を受け、撮影結果はいわゆる露光オーバーとなりやすい。
【０００５】
このような問題は、閃光撮影時にも起きる場合がある。自動調光式の閃光装置では、閃光を開始するとともに被写体からの反射光の検出を開始し、その反射光の検出値の積算値が予め定められた値に達するのにともなって閃光を停止する。このため、金屏風などを背にした人物を閃光撮影した場合には、背景からの反射光量が多くなるために閃光量が相対的に減じられてしまい、人物がアンダーとなりやすい。また、主要被写体の位置に対して背景が大きく離れており、かつ主要被写体の画面内占有率が小さいと、閃光光の大半が被写体の後方に抜けてしまい、反射光が少なくなるのでオーバーとなりやすい。
【０００６】
上述した問題を解決するため、複数の測光素子をカメラ内に内蔵し、被写界を複数の領域に分割して被写体光や閃光光の反射光を測定する技術が提案されている。
【０００７】
【発明が解決しようとする課題】
ところが、上述した技術によって得られる撮影結果は、必ずしも撮影者の意図したものとはならない場合がある。その一つの原因として撮影者の撮影意図がある。つまり、上述した技術によって得られる結果が一般的に適正と判断されるものであったとしても、それが必ずしも撮影者の意図（好み）に合っているとは限らないからである。
【０００８】
したがって、撮影者は撮影状況を見て勘によって露出補正を行ったり、あるいはブラケティング撮影を行なったりする必要がある。このときの勘が外れていたり、ブラケティング撮影に際しての露光量のずらし方が適正でなかったりすると好ましい撮影結果を得ることができず、撮影者が適正と考える結果が得られるまで繰り返し撮影を行う必要がある。
【０００９】
本発明の目的は、撮影者の勘に頼ることなく、撮影者の好みに合った撮影結果を容易に得ることの可能な画像記録装置を提供することにある。
【００１０】
【課題を解決するための手段】
一実施の形態を示す図３に対応付けて以下の発明を説明する。
（１）  請求項１に記載の発明に係る画像記録装置は、被写体を撮像して画像データを出力する撮像手段１０３と、画像データを記録する記録媒体１１４と、記録媒体１１４から読み出された画像データに基づき再生画像を表示する表示装置６と、被写体輝度に基づく露出値で露出制御する露出制御手段１０４と、露出値を補正する補正量を設定する露出補正量設定手段１０４，１１５と、表示装置６の再生画像の表示明度を露出補正量設定手段１０４，１１５の補正量に応じて調節する表示明度調節手段１０４，１１１と、を有することにより上述した目的を達成する。
（２）  請求項１に記載の発明に係る画像記録装置は、被写体を撮像して画像データを出力する撮像手段１０３と、画像データを記録する記録媒体１１４と、記録媒体１１４から読み出された画像データに基づき再生画像を表示する表示装置６と、被写体輝度に基づく露出値で露出制御する露出制御手段１０４と、表示装置６の再生画像の表示明度を調節する表示明度調節手段１０４，１１１と、表示明度調節手段１０４，１１１による表示明度の調節量に応じて、露出値を補正する補正量を設定する露出補正量設定手段１０４，１１５と、を有するものである。
【００１１】
なお、本発明の構成を説明する上記課題を解決するための手段の項では、本発明を分かり易くするために発明の実施の形態の図を用いたが、これにより本発明が実施の形態に限定されるものではない。
【００１２】
【発明の実施の形態】
図１は、本発明が適用されるＤＳＣの前側外観を示し、図２は背面側外観を示す。撮影者がカメラ背面側に設けられる電源スイッチ１０を操作して画像記録モード（ＲＥＣ）に設定するとＤＳＣは撮影スタンバイ状態となる。撮影レンズユニット２によって形成された被写体像が後述するＣＣＤの受光面上に形成され、この被写体像はＣＣＤで光電変換されてモニタ６に映し出される。このときモニタ６に映し出される画像はいわゆるスルー画と呼ばれ、所定のフレームレートで表示が更新される。したがって、撮影者はモニタ６の表示を観察することにより、ほぼリアルタイムで構図を確認することができる。ＤＳＣの本体１の前面にはＡＦユニット１１が設けられており、このＡＦユニットの測距結果に基づいて撮影レンズユニット２の焦点調節駆動が行われる。
【００１３】
フラッシュ４は、いわゆる外部調光式のものであり、被写体で反射された閃光光の光量を本体１の正面に設けられているセンサ１２で受光し、この受光量の積算値が所定の値に達した時点で閃光が停止される。
【００１４】
撮影者はファインダ５を覗くか、あるいはモニタ６を観察して構図を決定し、レリーズボタン３を押すことで撮影動作が実行される。本体１の背面にはアップボタン７ａ、ダウンボタン７ｂ、左ボタン７ｃ、右ボタン７ｄ、メニューボタン８、そしてセットボタン９が電源スイッチ１０やモニタ６とともに設けられる。これらの操作ボタンは撮影時や画像再生時等に各種モードの設定や表示画像の選択等に際して撮影者により操作される。
【００１５】
−  ＤＳＣの内部構成  −
図３は、ＤＳＣの内部構成を概略的に説明するブロック図である。本体１に固定されている撮影レンズユニット２は、レンズ１０１や絞り１０２などから構成されている。絞り１０２は、レンズ１０１を透過してＣＣＤ３に入射する光の量を制御するためのものである。絞り駆動装置１０８は、ＣＰＵ１０４から出力される制御信号に応じて絞り１０２の開口径を変化させる。この絞り１０２の開口径は、ＣＰＵ１０４により被写体の輝度に応じて自動的に制御される。あるいは、撮影者が好みに応じて開口径を設定変更するものであってもよい。
【００１６】
ＡＦユニット１１は、ＣＰＵ１０４から測距開始指令が出力されるのに応じてＤＳＣから被写体までの距離、すなわち撮影距離を測定し、その測定結果をＣＰＵ１０４に出力する。この測定結果に基づいてＣＰＵ１０４はレンズ駆動装置１０９に制御信号を発し、撮影レンズユニット２の焦点調節を行う。
【００１７】
ＣＣＤ１０３の受光面には、撮影レンズユニット２によって被写体像が形成される。ＣＣＤ１０３で光電変換されて出力される画像信号は、増幅器１０５で増幅され、Ａ／Ｄコンバータ１０６でディジタル画像信号に変換される。増幅器１０５のゲインは、ＣＰＵ１０４によって制御される。この増幅器１０５のゲインは、撮影状況に応じて標準の値よりも高めることができる。このように増幅器１０５のゲインを高めることにより、ＣＣＤ１０３の受光面に入射する光の量が少ない場合でも所望のレベルの画像信号を得ることができる。すなわち、ＣＣＤ１０３の設定感度を撮影状況に応じて変化させることができる。たとえば、閃光撮影時の閃光到達距離を伸ばしたり、カメラブレや被写体ブレの量を少なくしたい場合等に増幅器１０５のゲインを上げ、ＣＣＤ１０３の設定感度を高めることができる。
【００１８】
ＣＣＤ１０３における蓄積時間は、ＣＰＵ１０４により制御される。この蓄積時間は、銀塩フィルムを用いるカメラのシャッタタイム（フィルム面に光の当たっている時間）に相当する。すなわち、絞り１０２の開口径とＣＣＤ１０３の蓄積時間とによって露光量が定まる。この露光量の基準値（基準露光量）は、上述したＣＣＤ１０３の設定感度によってＣＰＵ１０４により定められる。
【００１９】
Ａ／Ｄコンバータ１０６から出力されるディジタル画像信号に基づき、画像処理装置１０７で種々の画像処理が行われて画像データが形成され、メモリ１１０に一時的に記憶される。このメモリ１１０は、ＲＡＭである。
【００２０】
メモリ１１０に記憶されている画像データに基づき、ビデオ信号が再生装置１１１により生成され、モニタ６に表示される。このとき、メモリ１１０に記憶されている画像データの階調値と、この画像データに対応してモニタ６上に表示される画像の表示明度との関係を決める情報（以下、本明細書中ではこの情報のことを「ガンマ情報」と称する）がＣＰＵ１０４から再生装置１１１に出力される。再生装置１１１は、この情報に基づいてモニタ６に表示される画像の表示明度を調節する。
【００２１】
ここで、「画像の表示明度」について説明する。たとえば８ビットの階調を有するＲＧＢ画像データでは、ＲＧＢ各色でそれぞれ２５６階調の明暗の表現が可能となる。本明細書中では、ある画素の階調値に対応してモニタ６上で再現される明るさを「表示明度」と定義する。８ビットの階調を有する画像データでは通常、十進法で表現して０が最も暗く、２５５が最も明るいものとして扱われる。たとえば、１２８という階調値を有するピクセルを表示する際に、１２８という階調値に対応する明るさでモニタ６上に表示されていれば、このピクセルは「標準の表示明度で表示されている」と表現することができる。また、上記ピクセルが、たとえば１５０というような、元の階調値を上回る階調値に対応する明るさでモニタ６上に表示されている場合、このピクセルは「表示明度を増して表示されている」と表現することができる。同様に、このピクセルがたとえば１１０というような、元の階調値を下回る階調値に対応する明るさでモニタ６上に表示されている場合、「表示明度を減じて表示されている」と表現することができる。ＣＰＵ１０４から出力される上記ガンマ情報に基づき、再生装置１１１はモニタ６に表示される画像の表示明度を増減する。通常は、標準の表示明度で画像が表示される。
【００２２】
スイッチ入力１１５は、上述したレリーズ釦３や電源スイッチ１０、さらには各種操作ボタンが撮影者によって操作されるのを検出し、ＣＰＵ１０４に入力する。
【００２３】
被写体で反射された閃光光を検出するセンサ１２の出力は、ＣＰＵ１０４のアナログポートに入力される。つまり、本発明の実施の形態において、フラッシュ４の調光制御はＣＰＵ１０４によって行われる。
【００２４】
−  撮影動作  −
以上に説明したＤＳＣで撮影を行う場合、撮影者は電源スイッチ１０を操作して画像記録モードに設定し、ファインダ５を覗くか、モニタ６に表示される画像を見るか、いずれかの方法によって構図を決める。続いて撮影者はレリーズボタン３を半押しする。ＣＰＵ１０４は、レリーズボタン３の半押しに応答してＡＦユニット１１に制御信号を発し、測距を行わせる。ＡＦユニット１１での測距結果に基づき、ＣＰＵ１０４はレンズ駆動装置１０９に制御信号を発して撮影レンズユニット２の焦点調節を行う。ＣＰＵ１０４はまた、この時点でメモリ１１０に記憶されている画像データを用いて被写体の輝度を算出し、この輝度算出結果に基づいてＣＣＤ１０３の蓄積時間を算出しなおす。
【００２５】
撮影者がレリーズボタン３を全押しするのに応答し、ＣＰＵ１０４はＣＣＤ１０３に蓄積動作開始の制御信号を発する。このとき、レリーズボタン３の半押し時に算出された被写体の輝度が所定の基準値よりも低いと判断するとＣＰＵ１０４はフラッシュ制御回路１１７に制御信号を発してフラッシュ４を発光させる。ＣＰＵ１０４は、センサ１２から出力される信号を入力し続け、この信号の積算値が所定のレベルに達したときにフラッシュ４の発光を停止させる。その後、ＣＣＤ１０３の蓄積動作が完了するのにともない、画像信号がＣＣＤ１０３から出力され、先に説明したようにメモリ１１０上に画像データが生成される。この画像データは、必要に応じてＣＰＵ１０４によりＪＰＥＧ等の画像圧縮アルゴリズムで圧縮処理が行われ、コネクタ１１３を介して着脱可能に装着されている外部記録装置１１４に記録される。この外部記録装置１１４としては、フラッシュメモリや小型ハードディスクドライブ等の不揮発性の記録装置が用いられる。
【００２６】
なお、フラッシュ４の調光制御に関しては、上述したのに代えてフラッシュ４を構成する回路の中で行うようにしてもよい。この場合、調光レベルの制御は以下のようにして行われる。すなわち、閃光動作に先だってＣＰＵ１０４からフラッシュ４に対して調光レベルに関する制御信号が出力される。次いで、ＣＣＤ１０３の蓄積動作に同期してＣＰＵ１０４からフラッシュ４に対して閃光開始指令信号が発せられる。フラッシュ４は、被写体で反射された光量をセンサ１２で検出し続け、ＣＰＵ１０４から閃光動作開始前に伝達されている調光レベルに達したときに閃光動作を停止させる。
【００２７】
−  再生画像表示動作  −
撮影者が電源スイッチ１０を操作して画像再生モードに設定すると、ＤＳＣは上述した撮影動作で外部記録装置１１４に記録された画像データをメモリ１１０内に読み込み、モニタ６に再生画像を表示する。このとき、ＤＳＣが画像再生モードに設定されてから最初に表示される再生画像は、たとえば一番最後に撮影して外部記録装置１１４に記録された画像データに基づくものとする。他の再生画像を表示させたい場合、撮影者はアップボタン７ａまたはダウンボタン７ｂを押す。ＣＰＵ１０４は、撮影者がアップボタン７ａまたはダウンボタン７ｂを操作するのに応じて外部記録装置１１４から別の画像データをメモリ１１０に読み込み、その画像データに基づく再生画像をモニタ６に表示させる。
【００２８】
−  メニュー表示および項目選択  −
図２および図４を参照し、本体１の背面に設けられる各種操作ボタンを操作してモニタ６に表示されているメニュー中から項目を選択する方法について説明する。なお、以下ではメニュー表示および項目選択の説明に続き、測光モード変更、露出補正量の設定変更、そしてフラッシュ調光レベルの設定変更について説明するが、いずれもＤＳＣの電源スイッチ１０が画像記録モードに設定されているものとして説明をする。
【００２９】
上述のようにＤＳＣが画像記録モードに設定されている場合、モニタ６にはスルー画が表示される。この状態でメニューボタン８を押すと、モニタ６には図４（ａ）に示されるメニュー画面が表示される。図４に示す例では、「フラッシュ調光レベル変更」、「露出補正」、「ホワイトバランス」、「圧縮率」、そして「測光モード」が選択項目として表示される。
【００３０】
「フラッシュ調光レベル変更」は、撮影意図に応じてフラッシュの調光レベルを増減するためのものである。「露出補正」は、撮影意図に応じて露光量を増減させるためのものである。「ホワイトバランス」は、自動でホワイトバランスを行うか、あるいは被写体を照明している光源の種類を撮影者が判断してマニュアル設定するかを選択するためのものである。「圧縮率」は、撮影して得られた画像データを外部記録装置１１４（図３）に記録する際の画像圧縮率を設定するためのものである。そして、「測光モード」は、被写界輝度を測定する際に、被写界中の複数の領域ごとに輝度を測定し、その輝度の分布パターンから被写体の輝度を決定する、いわゆる分割測光を行うか、あるいは中央部重点測光やスポット測光を行うかを設定するためのものである。
【００３１】
上述したメニュー表示の中から所望の項目を選択する場合、撮影者はアップボタンアップボタン７ａまたはダウンボタン７ｂを操作する。このとき、選択されている項目は四角い枠で囲われた状態で表示される。図４（ａ）の例では「フラッシュ調光レベル」が選択されている状態となっている。
【００３２】
−  測光モード変更  −
たとえば、測光モードを変更したい場合、撮影者はダウンボタン７ｂを数回操作して図４（ｂ）に示されるように「測光モード」が四角い枠で囲われた状態とする。続いて撮影者は、図４（ｂ）の表示状態のときにセットボタン９を操作する。すると、図４（ｃ）に示されるようにモニタ６には分割測光（Ｍ）、中央部重点測光（Ｃ）、そしてスポット測光（Ｓ）をイメージした絵表示がなされる。このときさらに、現在設定されている測光モードに対応する絵表示が四角い枠で囲われた状態で表示される。図４（ｃ）においては分割測光が現在設定されている状態を示している。撮影者は、左ボタン７ｃまたは右ボタン７ｄを操作し、所望の測光モードを表す絵表示が四角い枠で囲われた状態とした後、セットボタン９を操作する。上述した操作により、測光モードは撮影者の好みのモードに設定され、モニタ６にはスルー画の表示が再開される。
【００３３】
−  露出補正量の設定変更  −
図２〜図６を参照し、露出補正量の設定が変更される例について説明する。なお、以下では露出補正量の設定に際して０．５ＥＶ刻みで設定変更可能な場合を例にとって説明するが、この刻みはＤＳＣのスペック等に応じて変更可能である。
【００３４】
露出補正量の設定を変更したい場合、モニタ６に図４（ａ）に示されるようなメニュー表示がなされているときに撮影者はダウンボタン７ｂを操作して図５（ａ）に示されるように「露出補正」が四角い枠で囲われた状態とする。続いて撮影者は、モニタ６に図５（ａ）に示されるような表示がなされているときにセットボタン９を操作する。すると、図５（ｂ）に示されるようにモニタ６には露出補正量の設定変更画面が表示される。このとき、図４（ａ）に示すメニュー画面が表示される前に撮影されて外部記録装置１１４に記録されている画像データのうち、最も新しいもの（一番最後に撮影されて記録された画像データ）がメモリ１１０内に読み込まれ、この画像データに基づく再生画像がモニタ６に表示される。なお、この時点で設定されている露出補正量はゼロであるものとする。露出補正量がゼロである場合、モニタ６へ上記画像を表示するのに先立ち、ＣＰＵ１０４は再生装置１１１にガンマ情報として標準値を出力する。このため、モニタには上記画像データに基づく再生画像が標準の表示明度で表示される。
【００３５】
図６は、画像データの階調値と表示明度との関係を示すグラフであり、横軸には画像データの階調値が、縦軸には表示明度がとられて示されている。図６において、露出補正量がゼロの場合における画像データの階調値に対する表示明度の関係が実線の曲線で示されている。そして、破線で示される他の曲線は、設定される露出補正量に応じて上記関係が図６の左右方向にシフトされる様子を示している。たとえば、Ｍという階調値に対する表示明度は、プラス側に露出補正されるにつれて明るい方向（上側）に変化してゆき、マイナス側に露出補正されるにつれて暗い方向（下側）に変化してゆく様子が図６から読み取れる。
【００３６】
モニタ６に、図５（ｂ）に示されるような表示がなされている状態で撮影者がダウンボタン７ｂを２回操作すると、露出補正量の設定値は「−１」となる。このときＣＰＵ１０４は、−１ＥＶの露出補正量に対応するガンマ情報を再生装置１１１に出力する。これに対応して、モニタ６の表示は図５（ｃ）に示される状態となる。すなわち、モニタ６の右上部分に露出補正量の設定値である「−１」が表示され、かつモニタ６に表示される再生画像の表示明度が−１ＥＶの露出補正量に対応するものとなって暗く表示される。
【００３７】
一方、モニタ６に図５（ｂ）に示されるような表示がなされている状態で撮影者がアップボタン７ａを３回操作すると、露出補正量の設定値は「＋１．５」となる。このときＣＰＵ１０４は、＋１．５ＥＶの露出補正量に対応するガンマ情報を再生装置１１１に出力する。これに対応して、モニタ６の表示は図５（ｄ）に示される状態となる。すなわち、モニタ６の右上部分に露出補正量の設定値である「＋１．５」が表示され、かつモニタ６に表示される再生画像の表示明度が＋１．５ＥＶの露出補正量に対応するものとなって明るく表示される。
【００３８】
撮影者は、露出補正量の設定値に応じて上述したように表示明度が変化する再生画像を見ながら、どの程度の露出補正量が適当なのかを判断し、この判断結果に基づいて露出補正量を決定して設定する。このようにして露出補正量を設定した後、セットボタン９を操作することにより、設定された露出補正量が記録されるとともにモニタ６にはスルー画が再度表示され、撮影可能な状態となる。このとき表示されるスルー画の表示明度に関しては、上述のようにして設定された露出補正量に基づいて変化させてもよいし、あるいは設定されている露出補正量によらず標準の表示明度で表示するようにしてもよい。この状態で撮影を行うと、記録されている露出補正量に基づいて露光量が制御がされ、撮影が行われる。
【００３９】
−  フラッシュ調光レベル変更設定  −
図２、図３および図７を参照し、フラッシュ調光レベルの設定変更がなされる例について説明する。なお、以下でも露出補正量の設定変更の場合と同様にフラッシュ調光レベルの設定変更に際して０．５ＥＶ刻みで設定変更可能な場合を例にとって説明する。
【００４０】
フラッシュ調光レベルの設定変更をしたい場合、撮影者は図７（ａ）に示されるように「フラッシュ調光レベル変更」が四角い枠で囲われた状態のときにセットボタン９を操作する。すると、図７（ｂ）に示されるようにモニタ６にはフラッシュ調光レベル変更設定画面が表示される。このとき、図７（ａ）に示すメニュー画面が表示される前に撮影されて外部記録装置１１４に記録されている画像データのうち、最も新しいもの（一番最後に撮影されて記録された画像データ）がメモリ１１０内に読み込まれ、この画像データに基づく再生画像がモニタ６に表示される。なお、この時点で設定されているフラッシュ調光レベルの補正量はゼロであるものとする。この補正量がゼロである場合、モニタ６へ上記再生画像を表示するのに先立ち、ＣＰＵ１０４は再生装置１１１はガンマ情報として標準値を出力する。このため、モニタには上記画像データに基づく再生画像が標準の表示明度で表示される。
【００４１】
モニタ６に図７（ｂ）に示されるような表示がなされている状態で撮影者がダウンボタン７ｂを２回操作すると、フラッシュ調光レベル補正量の設定値は「−１」となる。このときＣＰＵ１０４は、−１ＥＶのフラッシュ調光レベル補正量に対応するガンマ情報を再生装置１１１に出力する。これに対応して、モニタ６の表示は図７（ｃ）に示される状態となる。すなわち、モニタ６の右上部分に露出補正量の設定値である「−１」が表示され、かつモニタ６に表示される再生画像の表示明度が−１ＥＶのフラッシュ調光レベル補正量に対応するものとなって暗く表示される。
【００４２】
一方、モニタ６に図７（ｂ）に示されるような表示がなされている状態で撮影者がアップボタン７ａを３回操作すると、フラッシュ調光レベル補正量の設定値は「＋１．５」となる。このときＣＰＵ１０４は、＋１．５ＥＶのフラッシュ調光レベル補正量に対応するガンマ情報を再生装置１１１に出力する。これに対応して、モニタ６の表示は図７（ｄ）に示される状態となる。すなわち、モニタ６の右上部分にフラッシュ調光レベル補正量の設定値である「＋１．５」が表示され、かつモニタ６に表示される再生画像の表示明度が＋１．５ＥＶのフラッシュ調光レベル補正量に対応するものとなって明るく表示される。
【００４３】
撮影者は、フラッシュ調光レベル補正量の設定値に応じて上述したように表示明度が変化する再生画像を見ながらどの程度のフラッシュ調光レベルの補正量が適当なのかを判断し、この判断結果に基づいてフラッシュ調光レベル変更設定を行う。このようにしてフラッシュ調光レベル変更設定をした後、セットボタン９を操作することにより、フラッシュ調光レベルの補正値が記録されるとともにモニタ６にはスルー画の表示が再開され、撮影可能な状態となる。この状態で閃光撮影を行うと、記録されているフラッシュ調光レベルの補正量に基づいてフラッシュ４の調光が行われて撮影が行われる。このとき、被写界の定常光成分に対する露光量（ＣＣＤ１０３の蓄積時間と絞り１０２の開口径の組み合わせ）は、フラッシュ調光レベル補正量の設定値に応じて増減させてもよい。あるいは、上記定常光成分に対する露光量は固定したままでフラッシュ調光レベルのみを設定された補正量に応じて変化させてもよい。
【００４４】
以上に説明したように、露出補正量の設定値、あるいはフラッシュ調光レベルの補正量の設定値に応じてモニタに表示される再生画像の表示明度が変更されるので、撮影者は設定した露出補正量あるいはフラッシュ調光レベルの補正量で撮影を行った場合にどのような撮影結果が得られるかを事前に知ることができる。このため、勘に頼って露出補正量の設定を行う場合に比べて失敗の少ない撮影結果を容易に得ることができる。したがって、同じような撮影シーンで何度も撮影を繰り返す必要がなくなり、貴重なシャッターチャンスを逃すことも抑制される。特に、閃光撮影に際しては無駄な閃光を繰り返す必要も無くなるので、ＤＳＣの電池寿命を延ばすことが可能となる。
【００４５】
また、以上のように一度撮影して得られた画像データに基づく再生画像をモニタ６に表示し、その画像の表示明度を露出補正量の設定値、あるいはフラッシュ調光レベル補正量の設定値に応じて変化させるものでは以下のような撮影シーンで効果を奏する。すなわち、レーシングコースを走行するレースカーや、ゲレンデを滑降するスキー選手を撮影するような場合、シャッターチャンスはある時間間隔を置いて訪れる。このような場合、前のシャッターチャンスで撮影して得られた画像データに基づく再生画像を見ながら露出補正量の設定、あるいはフラッシュ調光レベル補正量の設定をすることで、より確実で失敗の少ない撮影結果を得ることができる。
【００４６】
−  ＣＰＵによるＤＳＣの動作制御手順  −
以上で説明したＤＳＣの撮影動作、再生動作、そして撮影者による各種設定変更を受け付ける動作は図３に示すＣＰＵ１０４により制御される。ここで、図８〜図１２を図２、図３とともに参照してＣＰＵ１０４により実行される上記動作の制御手順について説明する。
【００４７】
図８〜図１２は、ＣＰＵ１０４により実行されるＤＳＣの動作制御手順を示すフローチャートである。
【００４８】
撮影者が電源スイッチ１０を「ＯＦＦ」以外のポジションにセットすることにより、ＣＰＵ１０４は上記制御手順の実行を開始する。ＣＰＵ１０４は、ステップＳ００１においてシステムリセットを行ってＤＳＣを初期状態に設定し、ステップＳ００２においてフラッシュ調光補正量をリセットし、ステップＳ００３において露出補正量をリセットする。これにより、メモリ１１０に記録されているフラッシュ調光補正量および露出補正量をそれぞれ標準値（±０）に設定する。つまり、ＤＳＣの電源を一度Ｏｆｆにし、再度Ｏｎすることで露出補正量およびフラッシュ調光レベルの補正量は標準値に戻される。
【００４９】
ステップＳ００４においてＣＰＵ１０４は、モニタ６に再生画像を表示する際の対象となる画像データを指定する表示画像ポインタを最終駒、すなわち一番最後に撮影して外部記録装置１１４に記録されている画像データを指定する値にする。ＣＰＵ１０４は、ステップＳ００５において外部記録装置１１４から画像データを読み込むか否かを設定するフラグをセットする。このフラグがセットされていると、後述するステップで外部記録装置１１４から画像データを読み込む動作がＣＰＵ１０４により実行される。つまり、ステップＳ００５ではフラグが「画像データを読み込む」状態にセットされる。このフラグの詳細については後述する。
【００５０】
ステップＳ１０１においてＣＰＵ１０４は、メニューボタン８が押されているか否かを判定し、否定されるとステップＳ３０１に分岐する一方、肯定されるとステップＳ１０２に進み、図４（ａ）に示されるメニュー画面をモニタ６に表示する。ステップＳ１０３においてＣＰＵ１０４は外部記録装置１１４から画像データを読み込むか否かを設定するフラグを、「画像データを読み込む」状態にセットする。このフラグについて説明する。図８〜図１２に示されるプログラムは繰り返し実行されるものであり、この際、画像データを外部記録装置１１４からメモリ１１０に読み込むのには比較的長い時間を要する。上記プログラムは、画像データを外部記録装置１１４からメモリ１１０に読み込む間も、この読み込み動作と並行して実行されるので、上記読み込み動作中に再度上記読み込み動作開始手順がＣＰＵ１０４により実行されることになってしまう。このような不具合を抑止するため、上述した読み込み動作の開始後、上記フラグはリセットされる。このようにフラグを用いることにより、画像データの読み込み動作が繰り返し行われて表示画面が乱れるのを抑止することができる。ステップＳ１０３では、ステップＳ１０２でメニュー画面が表示されているので、このメニューモードが解除されて画像再生モードに切り替わったときに再生画像が再び表示できるようにフラグが「画像データを読み込む」状態にセットされる。
【００５１】
ステップＳ１０４においてＣＰＵ１０４は、アップボタン７ａまたはダウンボタン７ｂが押されているか否かを判定し、否定されるとステップＳ１０７に分岐する一方、肯定されるとステップＳ１０５に進む。ステップＳ１０５においてＣＰＵ１０４は、アップボタン７ａまたはダウンボタン７ｂが押されるのに応じて選択項目を変更し、続くステップＳ１０６で図４（ａ）に示されるメニュー画面中の選択項目の表示を変更する。すなわち、四角い枠の表示位置を変更する。
【００５２】
ステップＳ１０７においてＣＰＵ１０４は、セットボタン９が押されているか否かを判定し、否定されるとステップＳ１０８に分岐する一方、肯定されるとステップＳ２１０に進む。ステップＳ１０８に分岐した場合、ＣＰＵ１０４はメニューボタン８が押されているか否かを判定し、否定されると再度ステップＳ１０４に戻って撮影者の操作を受け付ける動作を繰り返す。一方、ステップＳ１０８の判定が肯定された場合、すなわちメニュー画面の表示中に再度メニューボタン８が押された場合、ＣＰＵ１０４はステップＳ３０１に分岐してメニューモードをキャンセルする。
【００５３】
ステップＳ１０７でセットボタン９が押されたと判定されたときの分岐先であるステップＳ２１０においてＣＰＵ１０４は、選択されている項目が「フラッシュ調光レベル変更」であるか否かを判定する。この判定が否定されるとＣＰＵ１０４はステップＳ２３０に分岐する一方、肯定されるとステップＳ２１１に進んで外部記録装置１１４に記録されている画像データ中、最も新しい画像データをメモリ１１０内に読み込む。ＣＰＵ１０４はステップＳ２１２において、再生装置１１１に対してモニタ６に表示される再生画像の表示明度が標準となるようなガンマ情報を出力するとともに画像表示指令を発する。この情報および指令を受け、再生装置１１１はメモリ１１０に読み込まれた圧縮画像データを解凍しながら逐次再生画像データを生成し、再生画像を標準の表示明度でモニタ６に表示する。このときモニタ６には、図７（ｂ）に示されるようにＤＳＣがフラッシュ調光レベル変更モードにある旨の表示が再生画像に重ねて表示される。
【００５４】
ステップＳ２１３においてＣＰＵ１０４は、アップボタン７ａまたはダウンボタン７ｂが押されているか否かを判定し、否定されるとステップＳ２１７に分岐する一方、肯定されるとステップＳ２１４に進む。ステップＳ２１４においてＣＰＵ１０４は、外部記録装置１１４に記録されている画像データ中、最も新しい画像データをメモリ１１０内に再度読み込む。ステップＳ２１５においてＣＰＵ１０４は、再生装置１１１に対してモニタ６に表示される再生画像の表示明度を増減させるガンマ情報を出力するとともにステップＳ２１６で画像表示指令を発する。具体的に説明すると、ＣＰＵ１０４はアップボタン７ａが押されていると判定した場合、表示明度を＋０．５ＥＶ分だけ増すようにガンマ情報を変更し、このガンマ情報を表示指令とともに再生装置１１１に出力する。逆に、ダウンボタン７ｂが押されていると判定した場合、ＣＰＵ１０４は表示明度を−０．５ＥＶ分だけ減じるようにガンマ情報を変更し、このガンマ情報を表示指令とともに再生装置１１１に出力する。この情報および指令を受け、再生装置１１１はメモリ１１０に読み込まれた圧縮画像データを解凍しながら逐次再生画像データを生成し、再生画像をＣＰＵ１０４から入力されたガンマ情報に基づく表示明度でモニタ６に表示する。このときモニタ６には、図７（ｃ）または図７（ｄ）に示されるようフラッシュ調光レベルの補正量が再生画像に重ねて表示される。なお、上述した説明において、メモリ１１０に読み込まれている画像データが非圧縮のものである場合には、再生装置１１１は画像データの解凍を行う必要はない。
【００５５】
ステップＳ２１７においてＣＰＵ１０４は、セットボタン９が押されているか否かを判定し、否定されるとステップＳ２１９に分岐する一方、肯定されるとステップＳ２１８に進む。ステップＳ２１８においてＣＰＵ１０４は、撮影者によるアップボタン７ａ、ダウンボタン７ｂの操作で設定されたフラッシュ調光レベルの補正量をメモリ１１０に記録する。ステップＳ２１７での判定が否定された場合の分岐先であるステップＳ２１９においてＣＰＵ１０４は、メニューボタン８が押されているか否かを判定し、否定されるとステップＳ２１３に戻って撮影者によるアップボタン７ａ、ダウンボタン７ｂ、セットボタン９あるいはメニューボタン８の操作を待ち受ける。一方、ステップＳ２１９の判定が肯定された場合、すなわちメニュー画面の表示中に再度メニューボタン８が押された場合、ＣＰＵ１０４はステップＳ３０１に分岐してメニューモードをキャンセルする。
【００５６】
ステップＳ２１０における判定が否定された場合の分岐先であるステップＳ２３０においてＣＰＵ１０４は、選択されている項目が「露出補正」であるか否かを判定する。この判定が否定されるとＣＰＵ１０４はステップＳ２５１に分岐する一方、肯定されるとステップＳ２３１に進んで外部記録装置１１４に記録されている画像データ中、最も新しい画像データをメモリ１１０内に読み込む。ＣＰＵ１０４はステップＳ２３２において、再生装置１１１に対してモニタ６に表示される再生画像の表示明度が標準となるようなガンマ情報を出力するとともに画像表示指令を発する。この情報および指令を受け、再生装置１１１はメモリ１１０に読み込まれた画像データを必要に応じて解凍しながら逐次再生画像データを生成し、再生画像を標準の表示明度でモニタ６に表示する。このときモニタ６には、図５（ｂ）に示されるようにＤＳＣが露出補正設定モードにある旨の表示が再生画像に重ねて表示される。
【００５７】
ステップＳ２３３においてＣＰＵ１０４は、アップボタン７ａまたはダウンボタン７ｂが押されているか否かを判定し、否定されるとステップＳ２３７に分岐する一方、肯定されるとステップＳ２３４に進む。ＣＰＵ１０４は、ステップＳ２３４で外部記録装置１１４に記録されている画像データ中、最も新しい画像データをメモリ１１０内に再度読み込む。ステップＳ２３５においてＣＰＵ１０４は、再生装置１１１に対してモニタ６に表示される再生画像の表示明度を増減させるガンマ情報を出力するとともにステップＳ２３６で画像表示指令を発する。つまり、ＣＰＵ１０４はアップボタン７ａが押されていると判定した場合、表示明度を＋０．５ＥＶ分だけ増すようにガンマ情報を変更し、このガンマ情報を表示指令とともに再生装置１１１に出力する。逆に、ダウンボタン７ｂが押されていると判定した場合、ＣＰＵ１０４は表示明度を−０．５ＥＶ分だけ減じるようにガンマ情報を変更し、このガンマ情報を表示指令とともに再生装置１１１に出力する。この情報および指令を受け、再生装置１１１はメモリ１１０に読み込まれた画像データを必要に応じて解凍しながら逐次再生画像データを生成し、再生画像をＣＰＵ１０４から入力されたガンマ情報に基づく表示明度でモニタ６に表示する。このときモニタ６には、図５（ｃ）または図５（ｄ）に示されるよう露出補正量が再生画像に重ねて表示される。
【００５８】
ステップＳ２３７においてＣＰＵ１０４は、セットボタン９が押されているか否かを判定し、否定されるとステップＳ２３９に分岐する一方、肯定されるとステップＳ２３８に進む。ステップＳ２３８においてＣＰＵ１０４は、撮影者によるアップボタン７ａ、ダウンボタン７ｂの操作で設定された露出補正量をメモリ１１０に記録する。ステップＳ２３７での判定が否定された場合の分岐先であるステップＳ２３９においてＣＰＵ１０４は、メニューボタン８が押されているか否かを判定し、否定されるとステップＳ２３３に戻って撮影者によるアップボタン７ａ、ダウンボタン７ｂ、セットボタン９あるいはメニューボタン８の操作を待ち受ける。一方、ステップＳ２３９の判定が肯定された場合、すなわちメニュー画面の表示中に再度メニューボタン８が押された場合、ＣＰＵ１０４はステップＳ３０１に分岐してメニューモードをキャンセルする。
【００５９】
ステップＳ２３０での判定が否定された場合の分岐先であるステップＳ２５１において、ＣＰＵ１０４は選択されている項目が「ホワイトバランス」であるか否かを判定する。この判定が否定されるとＣＰＵ１０４はステップＳ２６１に分岐する一方、肯定されるとステップＳ２５２に進んでホワイトバランス調整のモード設定変更処理を行う。このステップＳ２５２においては、オートホワイトバランス、マニュアルホワイトバランス等のホワイトバランスモードが撮影者により選択され、設定される。ステップＳ２５２での処理を終え、ＣＰＵ１０４はステップＳ３０１に進んでメニューモードをキャンセルする。
【００６０】
ステップＳ２５１での判定が否定された場合の分岐先であるステップＳ２６１において、ＣＰＵ１０４は選択されている項目が「圧縮率」であるか否かを判定する。この判定が否定されるとＣＰＵ１０４はステップＳ２７１に分岐する一方、肯定されるとステップＳ２６２に進んで圧縮率の設定変更処理を行う。このステップＳ２６２においては、高圧縮、中圧縮、低圧縮、非圧縮等の圧縮モードが撮影者により選択され、設定される。ステップＳ２６２での処理を終え、ＣＰＵ１０４はステップＳ３０１に進んでメニューモードをキャンセルする。
【００６１】
ステップＳ２６１での判定が否定された場合の分岐先であるステップＳ２７１において、ＣＰＵ１０４は測光モードの設定変更処理を行う。このステップＳ２７１においては分割測光、中央部重点測光、スポット測光等の測光モードが撮影者により選択され、設定される。ステップＳ２７１での処理を終え、ＣＰＵ１０４はステップＳ３０１に進んでメニューモードをキャンセルする。
【００６２】
ステップＳ３０１においてＣＰＵ１０４は、電源スイッチ１０の設定が画像記録モードであるか否かを判定し、否定されるとステップＳ５００に分岐する一方、肯定されるとステップＳ４０１に進む。ＣＰＵ１０４は、ステップＳ４０１においてＣＣＤ１０３から逐次出力される画像信号に基づく画像（スルー画）をモニタ６に表示させる。続くステップＳ４０２においてＣＰＵ１０４はレリーズボタン３が半押し状態であるか否かを判定する。ＣＰＵ１０４は、ステップＳ４０２での判定が否定されるとステップＳ１０１に戻って他の操作ボタンの状態を検出する動作を行う一方、肯定されるとステップＳ４０３に進み、ＡＦ動作を行う。
【００６３】
ステップＳ４０４においてＣＰＵ１０４は、ステップＳ００３、またはステップＳ２３８で設定された露出補正量に基づいて露光量を算出する。ＣＰＵ１０４は、ステップＳ４０５で被写体の輝度を求め、この輝度とステップＳ４０４で算出された露光量とからＣＣＤ１０３の蓄積時間および絞り１０２の開口径を設定する。ステップＳ４０６においてＣＰＵ１０４は、レリーズボタン３が全押しされているか否かを判定し、否定されるとステップＳ４０２に戻ってレリーズ操作の待ち受け状態を維持する一方、肯定されるとステップＳ４０７に進んで露光動作を開始する。
【００６４】
ステップＳ４０８においてＣＰＵ１０４は、ステップＳ４０５で求められた被写体輝度に基づき、フラッシュ４を使用するか否かを判定する。ＣＰＵ１０４は、ステップＳ４０８での判定が否定されるとステップＳ４１３に分岐して閃光を伴わない露光を継続する一方、肯定されるとステップＳ４０９に進みステップＳ００２、ステップＳ２１８で設定されたフラッシュ調光レベルの補正量に基づいて調光量を設定する。続くステップＳ４１０で閃光を開始し、ステップＳ４１１でセンサ１２から出力される信号を入力、積算してステップＳ４０９で設定された調光量に達するの待つ。調光量がステップＳ４０９で設定された値に達したと判断するとＣＰＵ１０４はステップＳ４１２に進み、閃光を停止する。続くステップＳ４１３でＣＰＵ１０４は、ＣＣＤ１０３の蓄積時間がステップＳ４０５で算出された時間に達したか否かを判定し、この時間に達したと判定するとステップＳ４１４に進み、ＣＣＤ１０３の蓄積動作を停止させる。
【００６５】
続くステップＳ４１５でＣＰＵ１０４は、ＣＣＤ１０３から出力される画像信号が増幅器１０５で増幅され、Ａ／Ｄコンバータ１０６でＡ／Ｄ変換され、画像処理装置１０７で画像処理がなされて生成されてメモリ１１０に一時的に記録される画像データを外部記録装置１１４に記録する。ステップＳ４１６においてＣＰＵ１０４は、表示画像ポインタの情報を、一番最後に撮影された（最新の）画像を示す値に更新する。ステップＳ４１７においてＣＰＵ１０４は、外部記録装置１１４から画像データを読み込むか否かを設定するフラグを、「画像データを読み込む」状態にセットする。このフラグはステップＳ００５でセットされたフラグと同じものである。すなわち、一度画像再生モードに設定されるとモニタ６に再生画像が表示され、これにともなって上記フラグはリセットされる。その後画像記録モードに切り換えられ、さらにその後に再度画像再生モードに切り換えられた場合、上記フラグがリセットされたままであると再生画像が表示されなくなる。この不具合を抑止するため、上述したようにステップＳ４１７で上記フラグがセットされる。
【００６６】
上述した処理を終え、ＣＰＵ１０４はステップＳ１０１に戻って操作ボタンの状態を検出する動作を繰り返し行う。
【００６７】
ステップＳ３０１での判定が否定された場合の分岐先であるステップＳ５００においてＣＰＵ１０４は、電源スイッチ１０が画像再生モードに設定されているか否かを判定し、否定されるとステップＳ６０１に分岐して電源ＯＦＦの処理を行い、一連の制御動作を停止する。一方、ステップＳ５００での判定が肯定されるとＣＰＵ１０４はステップＳ５０１に進み、外部記録装置１１４から画像データを読み込むか否かを設定するフラグが、「画像データを読み込む」状態にセットされているか否かを判定する。ＣＰＵ１０４は、この判定が否定されるとステップＳ５０４に分岐する一方、肯定されるとステップＳ５０２に進んで上記フラグをリセットする。続くステップＳ５０３でＣＰＵ１０４は、表示画像ポインタで指定された画像データを外部記録装置１１４からメモリ１１０内に読み込み、再生装置１１１にガンマ情報として標準値を出力するとともに画像再生表示指令を発する。再生装置１１１は、メモリ１１０に読み込まれた画像データを必要に応じて解凍しながら逐次再生画像データを生成し、再生画像を標準の表示明度でモニタ６に表示する。
【００６８】
ステップＳ５０４においてＣＰＵ１０４は、アップボタン７ａまたはダウンボタン７ｂが押されているか否かを判定し、否定されるとステップＳ１０１に分岐して操作ボタンの状態を検出する動作を繰り返し行う。一方、ステップＳ５０４での判定が肯定されるとＣＰＵ１０４はステップＳ５０５に進み、表示画像ポインタの情報を更新する。すなわち、アップボタン７ａが押されている場合には表示画像ポインタをディクリメントし、ダウンボタン７ｂが押されている場合には表示画像ポインタをインクリメントする。このとき、最も古い再生画像が表示されているときにアップボタン７ａが押された場合には表示画像ポインタを最も新しい画像データに対応するものとすればよい。逆に、最も新しい再生画像が表示されているときにダウンボタン７ｂが押された場合には表示画像ポインタを最も古い画像データに対応するものとすればよい。ＣＰＵ１０４は、ステップＳ５０６において外部記録装置１１４から画像データを読み込むか否かを設定するフラグを、「画像データを読み込む」状態にセットした後、ステップＳ１０１に戻り、操作ボタンの状態を検出する動作を繰り返し行う。ステップＳ５０４で上述のようにアップボタン７ａまたはダウンボタン７ｂの操作が検出された、ステップＳ５０５、ステップＳ５０６の処理が行われた後、撮影者がその他の操作をしないでいると、ＣＰＵ１０４による処理は再度ステップＳ５００に戻ってくる。したがって、ステップＳ５０５で更新された表示画像ポインタで指定された新たな再生画像がステップＳ５０３の処理を経て表示される。
【００６９】
以上では、撮影者が露出補正量やフラッシュ調光レベルの補正量の設定変更をする際に、外部記録装置１１４に記録されている画像データをメモリ１１０内に読み込み、再生画像をモニタ６に表示する例について説明した。しかし、メモリ１１０の容量が十分にあるのであれば、一番最後に撮影して得られた画像データ、あるいは最後の複数ショット分の画像データをメモリ１１０内に保持しておき、撮影者が上記設定変更をする際に、メモリ１１０内に保持されている画像データに基づく再生画像をモニタ６に表示するものであってもよい。また、外部記録装置１１４に代わるものをＤＳＣの本体１の内部に設けるものであってもよい。
【００７０】
また、以上ではＤＳＣが撮影モードに設定されているときに撮影者が露出補正量やフラッシュ調光レベルの補正量の設定変更をすることができる例について説明したが、再生モードに設定されているときに上記設定変更をすることができるようにしてもよい。この場合、撮影者は今までに撮影して外部記録装置１１４に記録されている画像データのうち、任意のものをモニタ６に表示させた状態で上記設定変更を行うことができる。したがって、たとえばさまざまなシーンの撮影を行っているときに、次の撮影状況に一番近い画像を表示した上で上記設定変更を行うことができる。
【００７１】
ところで、撮影者が露出補正量やフラッシュ調光レベルの補正量の設定変更をする際にモニタ６に表示されている再生画像が、上述した補正をして撮影されたものである場合もあり得る。たとえば、再生画像が＋１ＥＶの露出補正をして撮影することにより得られた画像データに基づくものである場合には、露出補正量やフラッシュ調光レベルの補正量の設定値が＋１ＥＶとなっているときに表示明度を標準のものとしておくことが望ましい。このようにすることにより、前回の撮影結果（再生画像）を見ながらの露出補正量や調光レベル補正量の設定変更が容易となる。
【００７２】
ところで、上述した露出補正量や調光レベル補正量の設定変更前に、外部記憶装置１１４が一度外された後、再び装着されるような状況も考えられる。このような場合、装着された外部記憶装置１１４に記録されている画像データ中の最新の画像データに基づき、再生画像を表示することも、撮影者が好みの画像を表示させた上で上述した設定変更を行うこともできる。
【００７３】
以上ではＤＳＣの本体１にモニタ６が組み込まれている例について説明したが、別体に設けられる表示装置に再生画像を表示するものであってもよい。あるいは、ＤＳＣとコンピュータとをＩＥＥＥ１３９４ケーブルやＲＳ２３２Ｃケーブル等を介して接続し、上述した設定変更に際して再生すべき画像の画像データをコンピュータに転送してコンピュータの表示装置に表示される再生画像の表示明度を変えるようにしてもよい。この場合、表示明度の補正をした画像データをＤＳＣからコンピュータに転送してもよいし、画像データとともに設定変更量に関するデータをＤＳＣからコンピュータに転送し、表示明度変更の処理はコンピュータ側で行われるものであってもよい。
【００７４】
また、以上では撮影者が露出補正量やフラッシュ調光レベルの補正量の設定変更をする場合に、設定内容に応じてモニタ６に表示される再生画像の表示明度を変える例について説明した。しかし、本発明は他の設定の変更を行う場合にも適用可能である。たとえばホワイトバランスの設定変更をする場合、モニタ６に表示される再生画像の表示明度を変化させるのではなく、表示画像のカラーバランスをホワイトバランスの設定状態に応じて変化させればよい。このようにすることで、撮影者はホワイトバランスをどのように設定したらよいのかを実際の再生画像を見ながら判断することが可能となる。
【００７５】
以上では、本発明をＤＳＣに適用する例について説明したが、本発明はＤＳＣのみならず、画像を入力して記録するあらゆる形式の画像記録装置に適用することが可能である。
【００７６】
以上の発明の実施の形態と請求項との対応において、ＣＣＤ１０３が撮像素子を、ＣＰＵ１０４が露光量制御手段を、ＣＰＵ１０４およびスイッチ入力１１５が露出補正量設定手段を、モニタ６が表示装置を、ＣＰＵ１０４および再生装置１１１が表示明度調節手段をそれぞれ構成する。
【００７７】
【発明の効果】
以上説明したように、本発明によれば以下の効果を奏する。
（１）請求項１に記載の発明によれば、記録媒体から読み出された画像を表示装置で再生表示して、その再生画像の表示明度を露出補正量に応じて調節するので、露出補正の効果を確実に確認することができる。
（２）請求項２に記載の発明によれば、再生画像の表示明度を調節することによって、この調節量に応じた露出補正量を設定することができる。
【図面の簡単な説明】
【図１】  図１は、本発明が適用されるＤＳＣの外観を説明する図である。
【図２】  図２は、本発明が適用されるＤＳＣの背面側の外観を説明する図である。
【図３】  図３は、本発明が適用されるＤＳＣの回路構成を説明するブロック図である。
【図４】  図４は、各種設定を変更する際に表示画面が変化する様子を説明する図である。
【図５】  図５は、露出補正量の設定変更の操作をするのに応じて表示画面の表示明度が変化する様子を説明する図である。
【図６】  図６は、画像データの階調値とモニタに表示される再生画像の表示明度との関係を示す図である。
【図７】  図７は、フラッシュ調光レベルの設定変更をするのに応じて表示画面の表示明度が変化する様子を説明する図である。
【図８】  図８は、本発明が適用されるＤＳＣに内蔵されるＣＰＵにより実行される動作制御手順を説明するフローチャートである。
【図９】  図９は、図８に示されるフローチャートに続くフローチャートである。
【図１０】  図１０は、図９に示されるフローチャートに続くフローチャートである。
【図１１】  図１１は、図１０に示されるフローチャートに続くフローチャートである。
【図１２】  図１２は、図１１に示されるフローチャートに続くフローチャートである。
【符号の説明】
２  …  撮影レンズユニット      ３  …  レリーズボタン
４  …  フラッシュ              ６  …  モニタ
７ａ  …  アップボタン          ７ｂ  …  ダウンボタン
７ｃ  …  左ボタン              ７ｄ  …  右ボタン
８  …  メニューボタン          ９  …  セットボタン
１０  …  電源スイッチ          １２  …  センサ
１０２  …  絞り                １０３  …  ＣＣＤ
１０７  …  画像処理装置        １１０  …  メモリ
１１１  …  再生装置            １１４  …  外部記録装置
【図１】
0004277406.tif 000002
【図２】
0004277406.tif 000003
【図３】
0004277406.tif 000004
【図４】
0004277406.tif 000005
【図５】
0004277406.tif 000006
【図６】
0004277406.tif 000007
【図７】
0004277406.tif 000008
【図８】
0004277406.tif 000009
【図９】
0004277406.tif 000010
【図１０】
0004277406.tif 000011
【図１１】
0004277406.tif 000012
【図１２】
0004277406.tif 000013